(57)【要約】【課題】セキュリティーを高めながらも、遊技盤ユニットの前面扉と保持枠とを確実にロックする。【解決手段】本体ユニットを本体から取り外すには、先ず前面扉と本体との施錠を解除して前面扉を開放する。この状態で上下の保持枠固定レバーを回転させて本体側の固定ピンとの係止を解除する。そして、遊技盤ユニットを手前側に引き出すと本体から遊技盤ユニットを取り外すことができる。遊技盤ユニットを取り外した後は、前面扉を閉じた状態にしてロックレバー２５を下方から上方にスライド操作することにより、ロックレバー２５をロック解除位置からロック位置にスライドさせる。これにより、前面扉が保持枠に固定されてロックされる。【選択図】図６
2008093140.tif 000002
【特許請求の範囲】
【請求項１】
遊技盤と、遊技盤を保持するとともに遊技機本体に着脱自在に取り付けられる保持枠と、前記保持枠の前面側に軸着され、遊技盤の盤面を外部に露呈する開閉自在な前面扉とからなる遊技盤ユニットを有し、前記遊技盤ユニットは、前記前面扉を保持枠に固定して開閉不能にするロック機構を備え、前記前面扉の自由端側の側端縁にはその背面側に突出し、外部からの異物の進入を防止する第一異物進入防止リブが形成されたパチンコ機において、
前記ロック機構は、
前記前面扉の自由端側の側端部でその背面に立設されたロックピンと、
前記保持枠の前面に前記ロックピンと対峙するように設けられ、スライド操作が可能な
ロックレバーとを備え、
前記ロックレバーのスライド方向を規制する案内リブを前記保持枠の側端縁のうち前記
自由端側の側端縁に形成するとともに、前記ロックレバーの操作部を前記保持枠の背面側
に露呈させる切り欠きを前記保持枠に形成し、
前記ロックレバーは、前記ロックピンに係止するロック位置と前記係止が解除されるロック解除位置との間でスライド操作されることを特徴とするパチンコ機。
【請求項２】
前記ロックレバーには前記第一異物進入防止リブと対面し、外部からの異物の進入を防止する第二異物進入防止リブが形成されていることを特徴とする請求項１記載のパチンコ機。
【請求項３】
前記ロックレバーは、上方にスライドさせると前記ロック位置に移動し、下方にスライドさせると前記ロック解除位置に移動することを特徴とする請求項１又は２記載のパチンコ機。
【発明の詳細な説明】
【技術分野】
【０００１】
パチンコ店で使用され、遊技球を用いて遊技が行われるパチンコ機に関するものである。
【背景技術】
【０００２】
パチンコ機の本体と前面扉との間からピアノ線などの異物を進入させることによって遊技球の入賞率を上昇させるゴト行為が社会的な問題となっている。ゴト行為が行われるとパチンコ店の利益に損失が生じ、また、遊技者に対する公平さが失われるため、これを防止する機構・機能をパチンコ機に付与することが各メーカーにとって必要なこととなっている。異物進入を防止する機構の一例としては、例えば特許文献１で示されているように前面扉にリブを形成して前面扉とパチンコ機本体との隙間を無くすことが提案されている。
【０００３】
ところで、近年、遊技盤を保持する保持枠、遊技盤の盤面を外部に露呈する開閉自在な前面扉をユニット化した遊技盤ユニットを機種交換の際に交換するパチンコ機が提供されている。このようなパチンコ機では、共通化できる部品や装置を複数の機種で流用しながらもパチンコ機のデザインを一新できるため、従来のように機種交換の際に遊技盤のみを交換した場合と比べて遊技者に新鮮さを感じさせることができる。遊技盤ユニットを組み込んだパチンコ機では機種交換を行うにあたって遊技盤ユニットが単体で持ち運びされるため、持ち運びの利便性を図るとともに、前面扉に取り付けられたガラスの破損を防ぐために、前面扉を保持枠に固定して開閉不能にロックするロック機構が設けられている。ここで、ロック機構の一例について説明する。
【０００４】
図９に示すように、遊技盤ユニット１００は、遊技盤１０１、遊技盤１００を保持する保持枠１０２、保持枠１０２に軸着された前面扉１０３からなる。前面扉１０３にはガラス窓１０４が取り付けられている。遊技盤ユニット１００がパチンコ機本体（図示せず）に取り付けられた状態では、前面扉１０３は施錠装置によってパチンコ機本体に開閉不能にロックされる。他方、遊技盤ユニット１００をパチンコ機本体から取り外した状態では、ロック機構１０５によって前面扉１０３はパチンコ機本体に固定されて開閉不能にロックされる。
【０００５】
図１０〜図１２に示すように、ロック機構１０５は、保持枠１０２の前面に設けられた回転自在なロックレバー１０６と、前面扉１０３の背面でその自由端側の端部に立設されたロックピン１０７とからなる。ロックレバー１０６はロックピン１０７に係止するロック位置（図９中実線の位置）と係止が解除されるロック解除位置との間で回転する。そして、前面扉１０３が閉じられたときにロックレバー１０６をロック位置に回転させると前面扉１０３が保持枠１０２に固定されて開閉不能にロックされる。
【特許文献１】特開２００５−１６８７１７号公報
【発明の開示】
【発明が解決しようとする課題】
【０００６】
ところで上記のようなパチンコ機では、前面扉１０３の自由端側の端縁に、その背面側に突出し、外部からの異物の進入を防止する異物進入防止リブ１０８が形成されているが、ロックレバー１０６の回転軌道上に異物進入防止リブ１０８があるため、異物進入防止リブ１０８に切り欠き１０８ａを設けてロックレバー１０６が異物進入防止リブ１０８に接触することを避ける必要があった。このため、ロックレバー１０６を異物進入防止リブ１０８に接触しないように内側に配置する、あるいは、ロックレバー１０６の回転方向を反対にすることも考えられるが、遊技盤１０１の遊技領域１０１ａを狭める必要が生じてしまう。そして、遊技者の遊技への興趣を高めるためにも遊技領域１０１ａは狭めることは好ましくない。
【０００７】
本発明は、上記課題を解決するためになされたもので、セキュリティーを高めながらも、遊技盤ユニットの前面扉と保持枠とを確実にロックすることができるパチンコ機を提供することを目的とする。
【課題を解決するための手段】
【０００８】
本発明のパチンコ機は、遊技盤と、遊技盤を保持するとともに遊技機本体に着脱自在に取り付けられる保持枠と、前記保持枠の前面側に軸着され、遊技盤の盤面を外部に露呈する開閉自在な前面扉とからなる遊技盤ユニットを有し、前記遊技盤ユニットは、前記前面扉を保持枠に固定して開閉不能にするロック機構を備え、前記前面扉の自由端側の側端縁にはその背面側に突出し、外部からの異物の進入を防止する第一異物進入防止リブが形成されたパチンコ機において、前記ロック機構は、前記前面扉の自由端側の側端部でその背面に立設されたロックピンと、前記保持枠の前面に前記ロックピンと対峙するように設けられ、スライド操作が可能なロックレバーとを備え、前記ロックレバーのスライド方向を規制する案内リブを前記保持枠の側端縁のうち前記自由端側の側端縁に形成するとともに、前記ロックレバーの操作部を前記保持枠の背面側に露呈させる切り欠きを前記保持枠に形成し、前記ロックレバーは、前記ロックピンに係止するロック位置と前記係止が解除されるロック解除位置との間でスライド操作されるものである。
【０００９】
なお、前記ロックレバーには前記第一異物進入防止リブと対面し、外部からの異物の進入を防止する第二異物進入防止リブが形成されていることが好ましい。
【００１０】
また、前記ロックレバーは、上方にスライドさせると前記ロック位置に移動し、下方にスライドさせると前記ロック解除位置に移動することが好ましい。
【発明の効果】
【００１１】
本発明のパチンコ機は、前面扉のロックピンに係止するロック位置と係止が解除されるロック解除位置との間でスライド操作されるロックレバーを保持枠に設けたので、前面扉に設けられた異物進入防止リブを切り欠く必要がなくなり、セキュリティーを高めながらも、遊技盤ユニットの前面扉と保持枠とを確実にロックすることができる。
【００１２】
また、ロックレバーには前面扉の第一異物進入防止リブと対面する第二異物進入防止リブが形成されているので、異物の進入を前面扉及びロックレバーの２つの異物進入防止リブで防ぐことが可能になり、セキュリティーを高めることができる。
【００１３】
また、ロックレバーは、上方にスライドさせるとロック位置に移動し、下方にスライドさせるとロック解除位置に移動するので、遊技盤ユニットをパチンコ機本体に取り付けたときなどの振動でロックレバーがロック位置に移動して前面扉を開放することが不能になることを防止でき、遊技盤ユニットを取り付けたときの利便性を高めることができる。
【発明を実施するための最良の形態】
【００１４】
図１に示すように、パチンコ機１０は本体（パチンコ機本体）１１を備えている。本体１１には遊技盤１２が取り付けられている。遊技盤１２の前面には、周知のレールで囲まれた遊技領域１２ａが設けられている。詳しくは図示しないが、遊技領域１２ａには、図柄表示装置、入賞口、アタッカ、アウト口、遊技釘、風車などが設けられている。遊技盤１２は開閉自在な前面扉１３によって覆われており、前面扉１３のガラス窓１４を通して遊技盤１２の盤面を視認でき、これにより遊技領域１２ａを外部から視認できる。本体１１には、遊技盤１２や前面扉１３の他、遊技球の受け皿１５や遊技球を発射させる操作ハンドル１６などが取り付けられている。
【００１５】
図２及び図３に示すように、パチンコ機１０は遊技盤ユニット２０を備えている。遊技盤ユニット２０は、遊技盤１２、前面扉１３、保持枠２１からなり、これらをユニット化して本体１１に着脱自在に取り付けられる。
【００１６】
保持枠２１は本体１１に嵌め込まれて本体１１に収納される。保持枠２１の前面でその一方の側端側には前面扉１３が軸着されている。また、保持枠２１には遊技盤１２が取り付けられている。遊技盤１２は、保持枠２１に形成された遊技盤受け部２２と図示しない板バネとの間で一方の側端部（前面扉１３の軸側）が狭持され、他方の側端部（前面扉１３の自由端側）は保持枠２１の上下２箇所に設けられた回転レバー２３によって固定されている。遊技盤１２の背面には制御基板を収納した基板ケース１２ｂやその保護カバー１２ｃなどが取り付けられている。
【００１７】
遊技盤ユニット２０が本体１１に取り付けられた状態では、前面扉１３は施錠装置によって本体１１に開閉不能にロックされる。他方、遊技盤ユニット２０を本体１１から取り外した状態では、前面扉１３はロック機構２４によって保持枠２１に固定されて開閉不能にロックされる。
【００１８】
図４〜図６に示すように、ロック機構２４は、保持枠２１の前面に設けられたスライド操作が可能なロックレバー２５と、前面扉１３の背面でその自由端側の端部に立設されたロックピン２６とからなる。ロックレバー２５は前面扉１３の自由端側の側端部に配置され、これにより、ロックピン２６と対峙している。ロックレバー２５には上下に延びる楕円形状の長孔２５ａが形成されており、この長孔２５ａに挿通された取り付けネジ２７によって保持枠２１にスライド自在に固定されている。保持枠２１の前面でロックレバー２５の両側には上下に延びる案内リブ２８が形成されている。ロックレバー２５は、案内リブ２８によって上下方向にスライドするようにそのスライド方向が規制され、また、面内方向で回転してしまうことが防止されている。ロックレバー２５の背面には一段凹んだ操作部２５ｂが形成されている。保持枠２１には、操作部２５ｂを保持枠２１の背面側に露呈させる切り欠き２１ａが形成されている。ロックレバー２５は、操作部２５ｂを保持枠２１の背面側から上又は下方向に押圧することによって上下にスライド操作される。ロックレバー２５の上端側にはＵ字形状の係止溝２５ｃが形成されている。
【００１９】
図７及び図８に示すように、ロックレバー２５は、係止溝２５ｃがロックピン２６に係止するロック位置（図７に示す位置）と係止が解除されるロック解除位置（図８に示す位置）との間でスライド操作される。そして、前面扉１３が閉じられたときにロックレバー２５をロック位置にスライド操作すると前面扉１３が保持枠２１に固定されて開閉不能にロックされる。
【００２０】
図４〜図６に示すように、ロックレバー２５には、その端縁から突出し、外部からの異物の進入を防止する第二異物進入防止リブ２５ｄが形成されている。第二異物進入防止リブ２５ｄは後述する第一異物進入防止リブ１３ａ及び案内リブ２８と対面している。保持枠２１の側端側の案内リブ２８は一部が切り欠かれている。しかし、案内リブ２８の切り欠き部分はロックレバー２５の第二異物進入防止リブ２５ｄによって塞がれるため、この切り欠きから異物が進入することを防止できる。
【００２１】
前面扉１３の自由端側の端縁にはその背面側に突出し、外部からの異物の進入を防止する第一異物進入防止リブ１３ａが形成されている。第一異物進入防止リブ１３ａは上下に延びており、前面扉１３の自由端側の端縁全体にわたって形成されている。前面扉１３が閉じられると第一異物進入防止リブ１３ａが保持枠２１の側面に被さる状態となる。これにより、前面扉１３と本体１１との隙間から進入した異物を第一異物進入防止リブ１３ａでブロックできるため、異物が遊技盤１２の遊技領域１２ａに到達することを防止できる。
【００２２】
なお、保持枠２１の前面には、前面扉１３の自由端側に位置するように、上下２箇所に保持枠固定レバー（図示せず）が取り付けられている。保持枠固定レバーは、前述したロックレバー１０６と同一の部材の構成になっており、本体１１に保持枠２１を嵌め込んだときにこれを回転させて本体１１の固定ピン（図示せず）に係止させると、保持枠２１が本体１１に固定される。
【００２３】
次に、遊技盤ユニット２０の本体１１との着脱作業の流れについて説明する。遊技盤ユニット２０を本体１１から取り外すには、先ず前面扉１３と本体１１との施錠を解除して前面扉１３を開放する。この状態で上下の保持枠固定レバーを回転させて本体１１側の固定ピンとの係止を解除する。そして、遊技盤ユニット２０を手前側に引き出すと本体１１から遊技盤ユニット２０を取り外すことができる。遊技盤ユニット２０を取り外した後は、前面扉１３を閉じた状態にしてロックレバー２５を下方から上方にスライド操作することにより、ロックレバー２５をロック解除位置からロック位置にスライドさせる。これにより、前面扉１３が保持枠２１に固定されてロックされ、遊技盤ユニット２０の持ち運び中に不用意に前面扉１３が開くことを防止できる。
【００２４】
また、遊技盤ユニット２０を本体１１に取り付けるには、先ずロックレバー２５を上方から下方にスライド操作することにより、ロックレバー２５をロック位置からロック解除位置にスライドさせる。これにより、前面扉１３と保持枠２１とのロックが解除されて前面扉１３を開くことができる。この状態で、遊技盤ユニット２０を本体１１に嵌め込む。そして、保持枠固定レバーを回転させて本体１１側の固定ピンと係止させ、保持枠２１と本体１１とを固定する。保持枠２１と本体１１との固定後、前面扉１３を閉じて施錠すると遊技盤ユニット２０の取り付けが完了となる。
【００２５】
上記実施形態では、保持枠固定レバーによって保持枠２１を本体１１に固定したが、例えばロックレバー２５と同一の部材を用いて保持枠２１と本体１１とを固定するなど、適宜の固定方法で保持枠２１と本体１１とを固定してよい。
【図面の簡単な説明】
【００２６】
【図１】パチンコ機の前面側からの斜視図である。
【図２】前面扉を開いた状態の遊技盤ユニットの斜視図である。
【図３】遊技盤ユニットの背面側からの斜視図である。
【図４】ロックレバーがロック解除位置に移動したときの保持枠の背面側からの斜視図である。
【図５】ロックレバーがロック位置に移動したときの保持枠の背面側からの斜視図である。
【図６】保持枠のロックレバーの取付部分を拡大した前面側からの斜視図である。
【図７】ロックレバーがロック位置に移動したときのロックレバーとロックピンとの位置関係を示す説明図である。
【図８】ロックレバーがロック解除位置に移動したときのロックレバーとロックピンとの位置関係を示す説明図である。
【図９】従来の遊技盤ユニットの斜視図である。
【図１０】従来の遊技盤ユニットにおける前面扉と保持枠との固定部分を拡大した背面側からの斜視図である。
【図１１】従来の遊技盤ユニットにおける前面扉と保持枠との固定部分を拡大した背面側からの斜視図である。
【図１２】従来の遊技盤ユニットにおける前面扉と保持枠との固定部分を拡大した背面側からの斜視図である。
【符号の説明】
【００２７】
１０  パチンコ機
１１  本体（パチンコ機本体）
１２，１０１  遊技盤
１３，１０３  前面扉
１３ａ  第一異物進入防止リブ
１４，１０４  ガラス窓
２０，１００  遊技盤ユニット
２１，１０２  保持枠
２４，１０５  ロック機構
２５，１０６  ロックレバー
２５ｃ  第二異物進入防止リブ
２６，１０７  ロックピン
２８  案内リブ
【図１】
2008093140.tif 000003
【図２】
2008093140.tif 000004
【図３】
2008093140.tif 000005
【図４】
2008093140.tif 000006
【図５】
2008093140.tif 000007
【図６】
2008093140.tif 000008
【図７】
2008093140.tif 000009
【図８】
2008093140.tif 000010
【図９】
2008093140.tif 000011
【図１０】
2008093140.tif 000012
【図１１】
2008093140.tif 000013
【図１２】
2008093140.tif 000014